(57)【特許請求の範囲】
【請求項１】
碁盤格子面体（１）と、該碁盤格子面体の縁部を摺動又はコロ動可能に支持した円形枠体（２）と、該円形枠体の直径の両端部外側を表裏回動可能に軸支した支持構体（３）とからなることを特徴とする囲碁器。
【請求項２】
碁盤格子面体（１）の碁盤目を形成する線条の、少なくとも交点部が、磁石材（硬磁性利）であることを特徴とする請求項１の囲碁器。
【請求項３】
碁盤格子面体（１）の碁盤目を形成する線条の、少なくとも交点部が、磁石材（軟磁性利）であることを特徴とする請求項１の囲碁器。
【請求項４】
碁盤格子面体（１）が、透明板に線条を碁盤目状に埋め込むか、又は貼り付けたものであることを特徴とする請求項１の囲碁器。
【請求項５】
碁盤格子面体（１）が、鉄板を碁盤目状に打ち抜いて形成したものであることを特徴とする囲碁器。
【発明の詳細な説明】
【技術分野】
【０００１】  本発明は囲碁の指導や解説あるいは学習のために有用な囲碁器に関するものである。
【背景技術】
【０００２】
【非特許文献１】  実開平  ０３−４１４７８号公報（囲碁盤装置）
【非特許文献２】  実案登録  ３０３２６９３号公報（マグネット式遊戯器）
【背景技術】
【０００３】  囲碁の解説や指導用として、従来用いられてきた囲碁器としては、一枚の板の画面に碁盤目を描いたものを、反転して、手数の差異以外は全く同じ局面である２つの配石を見せる、いわゆる解説用大盤なるものが用いられている。【０００４】  また、公知技術としては例えば「実用平０３−４１４７８号」（文献１）には、透明板に形成した碁盤目の交点部に開けた穴に、碁石担当物を両面から差し込めるようにしたものがあり、また「実用登録３０３２６９３」（文献２）には、光透過性板の片面に碁盤目状を形成し、背面からの光で、使用面を明るくしたものがある。２件とも病人等のために寝たままで（顔を上方に向けたままで）使用するもので、前者は他人と対局するためのもの、後者は自己学習するためのものである。
【発明の開示】
【発明が解決しようとする課題】
【０００５】  囲碁の解説、学習のためには配石の形の位置を変えて見ることが有効である。特に詰碁や定石は碁盤の何れかの一隅に配石して示すのであるが、これを別の隅に移すと感覚的に全く別の配石に見えたりする。従って、いろいろ位置を変えて見るのが技術を育成する上で大変重要であるにもかかわらず、従来簡単に位置を代えて示すことの出来る囲碁器はなく、その出現が強く望まれていた。
【課題を解決するための手段】
【０００６】  本発明の要旨は、構成として碁盤格子面体（１）と、該碁盤格子面体の縁部を摺動又はコロ動可能に支持した円形枠体（２）と、該円形枠体の直径の両端部外側を表裏回動可能に軸支した支持構体（３）とからなり、碁盤格子面体（１）の碁盤目を形成する線条の、少なくとも交点部が、磁石材（硬磁性・軟磁性）であり、更に碁盤格子面体（１）が、透明板に線条を碁盤目状に埋め込むか、又は貼り付けたものか、碁盤格子面体（１）が、鉄板を碁盤目状に打ち抜いて形成したものである。次に動作として、碁盤格子面体面に垂直なＹ軸（縦軸）を中心に時計方向、又は反時計方向に、最大３６０度回動できることを第１の手段とし、次に碁盤格子面体面に水平なＸ軸（横軸）を中心に手前方向、又は逆の方向に最大３６０度回動できることを第２の手段とした。
【発明の効果】
【０００７】  本発明の囲碁器の完成により、本発明になる囲碁面を垂直に立てて使用する場合、面の両側から対戦できたり、観戦したり、又指導を受けられる。更に配石を自由に位置を変えて見ることができるので詰碁や、布石の形の感覚を養成するには有効である。そのことは着眼大局、着手小局の基本理念にも欠かせない利点となり、棋力の向上はもとより、新たな視点と新たな発想性が魅力となり囲碁の普及と発展のため大いに貢献できる。
【発明を実施するための最良の形態】
【０００８】碁盤目以外が透明であるので、表裏いずれの側においても碁石を配石することができる。又片側だけ配石して両側で指導又は観戦もできる。更に碁盤面の垂直軸を中心に自在に回動して見ることもできる。その上碁盤面を反転すれば一方向側に居て反対面を見られる。よって、自在に表面と裏面を多面（辺）的に考察並びに配石が可能となる。
【実施例】
【０００９】  次に図面を用いて、本発明を説明する。図１及び図２は実施の１態様を示す図面で、図１は正面図、図２は断面図である。図において１は碁盤格子面体である。本実施例においては、四角いアクリル系透明板２枚の間に細い黒色テープ５で碁盤目を描き、交点部に磁石６′をはさんで張り合わせた。その四隅に図３に示すように滑車７をつけた。この場合、碁石相当物としては丸い鉄板に白黒に着色したものを用いた。【００１０】  図面を記載しない別の実施例では、単に四角の鉄板を碁盤目状に打ち抜いたものをそのまま用いた。この場合碁石相当物としては、磁石を貼り付けた丸い着色（白黒）プラスチックを用いた。【００１１】  図４においては円形枠体２を示す。円形枠体は本実施例では内側に溝を形成したプラスチックリングを使う。この溝に碁盤格子面体１に滑車７をはめ込んで面体が回動できるようにした。又動作は持手（突起）１３で行う。【００１２】  図２において３は支持枠体である。基本的には２体の安定性のある土台構体８上に、支柱９を立型にしたもので良いが本実施例の如く、下方で連結した方が良い。支柱の上端付近に一般的な支持手段（本例ではボス１１とボス穴）でもって円形枠体の直径の両端部外側を表裏回動可能に軸支する。また円形枠体を一定の角度（普通には垂直位置）で止められるようにストッパー１０又はその他のネジ止め手段等を設ける。又図５の如く円形枠体を上下方向で軸支して水平回転し得るようにしてもよい。【００１３】  碁盤格子面体１と円形枠体２の動作は手動で行うが、拡大応用事例として電動機による制御方法もある。二手段の動作を単動、連動、断続動を選択することにおいて、夫々に速度を可変設定すれば、より多くのバリエーションを得ることができる。【００１４】  本囲碁器の構成は土台構体８に支柱９を介して取付されているが、別の方法として他の構造物に取付例を図６に示した。特に動的構造物（車内、船内、機内）にも可能である。
【産業上の利用可能性】
【００１５】  動作形態を更に応用と拡大（例えば、Ｙ軸とＸ軸の動作を継手又は継動体を付加）すれば、機械又は食品類の製造工程なり、ロボット産業とか教材等に利用が可能である。
【図面の簡単な説明】
【００１６】
【図１】本発明の囲碁器の実施例の正面図
【図２】本発明の囲碁器の実施例の断面図
【図３】本発明の囲碁器の構成部分である碁盤格子面体の１実施例の正面図
【図４】本発明の囲碁器の構成部分である碁盤格子面体１の別の実施例の正面図
【図５】本発明の囲碁器であって盤面を上下で軸支して左右反転できるようにした概要図
【図６】本発明の囲碁器であって設置位置を天井又は側面に取付した概略図
【符号の説明】
【００１７】  １  碁盤格子面体
２  円形枠体
３  支持構体
４  透明板
５  黒色テープ
６  磁石（６′埋込磁石）
７  滑車
８  土台構体
９  支柱
１０  ストッパー
１１  ボス（１１′ボス穴）
１２  プラスチックリング
１３  持手（突起）
【要約】
【課題】囲碁の解説、学習のためには配石の形を位置を変えて見ることが有効であるが、従来、簡単に位置を変えて示すことの出来る囲碁器はなく、その出現が望まれていた。
【解決手段】構成として碁盤格子面体（１）と、該碁盤格子面体の縁部を摺動又はコロ動可能に支持した円形枠体（２）と、該円形枠体の直径の両端部外側を表裏回動可能に軸支した支持構体（３）とからなり、碁盤格子面体の碁盤目を形成する線条の、少なくとも交点部が磁石材（硬磁性・軟磁性）であり、更に碁盤格子面体が、透明板に線条を碁盤目状に埋め込むか、又は貼り付けたものか、碁盤格子面体が、鉄板を碁盤目状に打ち抜いて形成したものである。次に動作として、図１に示されるように碁盤格子面体面に垂直な縦軸を中心に時計方向、又は反時計方向に自在に回動できることを第１の手段とし、次に碁盤格子面体面に水平な横軸を中心にして自在に回動できることを第２の手段で対応した。
【選択図】図１  図２  図３  図４【図１】
0003668948.tif 000002
【図２】
0003668948.tif 000003
【図３】
0003668948.tif 000004
【図４】
0003668948.tif 000005
【図５】
0003668948.tif 000006
【図６】
0003668948.tif 000007